(57)【要約】【課題】本発明の目的は、比重の大きい金属製の被加熱物を手作業や機械で供給しても破損のおそれがなく、しかも被加熱物の加熱が効率的に行えるセラミック製加熱容器を提供することにある。【解決手段】炉で被加熱物Ｗを加熱する際に使用する上面開放状のセラミック製加熱容器１であって、被加熱物Ｗが溶融するより低い温度で燃焼して焼失する性質を備えた可燃性内材４を、被加熱物Ｗと自己の載置部２の間に介在させるようにした。このセラミック製加熱容器１は、載置部２に直に被加熱物Ｗが当たらないため、金属製品のような比重の大きい被加熱物Ｗを加熱する用途に使用しても破損のおそれがない。【選択図】        図７
2004239553.tif 000002
【特許請求の範囲】
【請求項１】
炉で被加熱物を加熱する際に使用する上面開放状のセラミック製加熱容器であって、
被加熱物が溶融するより低い温度で燃焼して焼失する性質を備えた可燃性内材を、被加熱物と自己の載置部の間に介在させるようにしたことを特徴とするセラミック製加熱容器。
【請求項２】
前記可燃性内材の周囲に立壁を立設してなることを特徴とする請求項１記載のセラミック製加熱容器。
【請求項３】
請求項１又は２記載の可燃性内材をセラミック製加熱容器の載置部に載置し、その可燃性内材の上に被加熱物を載せ、そのまま全体を炉で加熱して前記可燃性内材を焼失させると共に被加熱物の表面付着物を除去するようにしたことを特徴とする被加熱物の表面付着物除去方法。
【請求項４】
請求項１又は２記載の可燃性内材に予め被加熱物を載置した後、被加熱物を収めた可燃性内材をセラミック製加熱容器の載置部上に載置し、そのまま全体を炉で加熱して前記可燃性内材を焼失させると共に被加熱物の表面付着物を除去するようにしたことを特徴とする被加熱物の表面付着物除去方法。
【発明の詳細な説明】
【０００１】
【発明の属する技術分野】
本発明は、被加熱物を炉で加熱する際に使用するセラミック製加熱容器及び被加熱物の表面に付着している付着物を除去する被加熱物の表面付着物除去方法に関する。
【０００２】
【発明の背景】
例えば不要になった金属製品の表面に塗料や油等の付着物が付いている場合、その付着物を除去する方法として、構成する金属が溶融しない程度に金属製品を加熱して表面の付着物を焼失させることが考えられる。この場合、被加熱物を加熱する手段としてシャトルキルンのようなバッチ式の炉や、トンネルキルン、ローラキルンのような連続式の炉の使用が可能である。
【０００３】
【発明が解決しようとする課題】
通常、炉での加熱には耐火性に優れたセラミック製加熱容器（いわゆる「匣鉢」）が使われる。加熱温度が高くなると金属製の容器では耐用性（使用回数）に劣るためである。ところがセラミック製加熱容器には衝撃に弱く破損しやすいという弱点があり、その弱点が上記のような金属製品を被加熱物とする場合に顕在化するおそれがある。すなわち金属製品は陶磁器製品などに比べて比重が大きいため、手作業の場合は不注意による金属製品の落下や乱暴な取り扱い等による衝撃でセラミック製加熱容器が破損するおそれがあり、また、機械で金属製品を自動供給する場合は被加熱物の形状が一定でないため機械で掴むポイントにばらつきが生じやすく、コスト度外視の高度な技術を駆使しない限り、あらゆる形状の被加熱物の全てを衝撃無くセラミック製加熱容器に載置することは難しい。
【０００４】
本発明は上記に鑑みなされたもので、その目的は、比重の大きい金属製の被加熱物を手作業や機械で供給しても破損のおそれがなく、しかも被加熱物の加熱が効率的に行えるセラミック製加熱容器を提供することにある。また、そのセラミック製加熱容器を使って被加熱物の表面に付着した付着物を除去する表面付着物除去方法を提供する。
【０００５】
【課題を解決するための手段】
上記の目的を達成するため本発明は、炉で被加熱物を加熱する際に使用する上面開放状のセラミック製加熱容器であって、被加熱物が溶融するより低い温度で燃焼して焼失する性質を備えた可燃性内材を、被加熱物と自己の載置部の間に介在させるようにしたセラミック製加熱容器を提供する。
【０００６】
載置部と被加熱物の間に可燃性内材を介在させたため、セラミック製加熱容器の載置部に直に被加熱物が当たらない。従って本発明のセラミック製加熱容器は、金属製品のような比重の大きい被加熱物を加熱する用途に使用しても、被加熱物を供給する際の衝撃が直に載置部に作用しないから破損のおそれがない。のみならず前記可燃性内材は、被加熱物を加熱する過程でしかも被加熱物の下に敷かれた状態で燃焼するため、従来なら加熱し難い被加熱物の底面が迅速に加熱できる。
【０００７】
また、請求項２に記載したように前記可燃性内材の周囲に立壁を立設するようにしてもよい。そうすれば、その立壁を掴んで移送することができるから取り扱いが容易になり、また、立壁が燃焼することで被加熱物の周囲も迅速に加熱することができる。
【０００８】
また、請求項３のように、前記可燃性内材をセラミック製加熱容器の載置部に載置し、その可燃性内材の上に被加熱物を載せ、そのまま全体を炉で加熱して前記可燃性内材を焼失させると共に被加熱物の表面付着物を除去するようにした被加熱物の表面付着物除去方法を提供する。
【０００９】
また、請求項４のように、前記可燃性内材に予め被加熱物を載置した後、被加熱物を収めた可燃性内材をセラミック製加熱容器の載置部上に載置し、そのまま全体を炉で加熱して前記可燃性内材を焼失させると共に被加熱物の表面付着物を除去するようにした被加熱物の表面付着物除去方法を提供する。
【００１０】
【発明の実施の形態】
以下に本発明の実施の形態を図面を参照しつつ説明する。なお、図１〜図３はセラミック製加熱容器の分解斜視図である。また、図４〜図７は可燃性内材の他の形態を示すものであって、図４，図６はセラミック製加熱容器の分解斜視図、図５，図７はセラミック製加熱容器の縦断面図である。
【００１１】
セラミック製加熱容器１は上面開放状の箱形態であって、例えばムライト質、コーディライト質、アルミナ質、炭化珪素質を素材とし、図１に示したように四角い板形態の載置部２の全周を周側板３ａ〜３ｄで囲ってなる。なお、セラミック製加熱容器１はこのような箱形に限定されず、載置部２の対向する二辺に周側板３ａ，３ｃを立設して正面視凹形にしたり、あるいは周側板３ａ，３ｃを載置部２の下側にも延設して正面視Ｈ形にする等してもよい。
【００１２】
また、セラミック製加熱容器１の載置部２には図１に示したようにその上面にマット状の可燃性内材４が載置されている。この可燃性内材４は、被加熱物Ｗが溶融するより低い温度で燃焼して焼失する性質を備えていればよく、合成樹脂、木材、紙などから任意に選択することができる。そして例えば、可燃性内材４の素材として木材を選択した場合は、木材自体の剛性が高いことから図１に示したような単純な板形状にすればよい。
【００１３】
また、可燃性内材４の素材として合成樹脂を選択した場合は、その合成樹脂が硬質であれば木材同様単純な板形状にすればよく、一方、合成樹脂が軟質であれば、図２に示したように多数のキャップ体を有する合成樹脂製のキャップフィルム４ａを平坦な合成樹脂製のバックフィルム４ｂに貼り合わせて独立気泡体４ｃを形成した公知の気泡シート形状にするか、或いはスポンジのような発泡構造にするなどして適度なクッション性を持たせればよい。
【００１４】
また、可燃性内材４の素材として紙を選択した場合は、剛性の高い板紙にするか、或いはクッション性を有する段ボール紙にすればよい。また、紙の場合は公知のパルプモールド（古紙パルプ、バージンパルプ等の原料を水中に分散させてパルプスラリーとした後、抄き型によってパルプ成分を抄き取った後、該パルプ成分を吸引脱水して所定の形状とし、熱により乾燥したもの）を採用することもできる。このパルプモールドは自由な形状に加工することができるため、例えば図３のように畝状の中空突部４ｄを碁盤の目のように形成することにより、適度なクッション性と剛性をバランス良く兼ね備えた可燃性内材４を得ることができる。
【００１５】
なお、前記の気泡シート、段ボール紙、中空突部４ｄは、何れも載置部２と被加熱物Ｗ（図５参照）の間に空間を形成する空間形成手段の一例であり、この空間形成手段によって形成される空間が可燃性内材４に適度なクッション性を付与することはもちろん可燃性内材４の燃焼を促進させる作用・効果を発揮する。
【００１６】
また、可燃性内材４は上記した素材以外にも例えば常温で固まる蝋のような固形燃料を使用することもできる。この場合、固形燃料を板状に成形して載置部２にセットするか、或いは、固形燃料を熱で溶かしてセラミック製加熱容器１に流し込み、常温に放置して固化させる。
【００１７】
また、可燃性内材４は、上記した単純なマット形態に対し、その周囲に立壁４ｅを立設して図４〜図７に示したように箱形にすることもできる。この場合、好ましくは前記立壁４ｅに把手状の突部（図４，５参照）や透孔（図６，７参照）のような把持手段４ｆを設けておくとよい。
【００１８】
次に本発明のセラミック製加熱容器１を使って、被加熱物Ｗたる金属製品の表面付着物を除去する方法について説明する。先ず、セラミック製加熱容器１の載置部２上に可燃性内材４を予め載置しておく。一方、被加熱物Ｗは、載置部２のサイズやセラミック製加熱容器１の深さに合わせて適当な大きさに切断しておく。もちろん被加熱物Ｗがセラミック製加熱容器１の内部にすっぽり収まる大きさであれば切断する必要はないが、敢えて小さく切断して複数個をセラミック製加熱容器１に入れるようにしてもよい。
【００１９】
次に手作業又は機械（自動移載機）により可燃性内材４の上に被加熱物Ｗを載せる。このとき、もし仮に被加熱物Ｗがセラミック製加熱容器１の載置部２に強く当たったとしても、載置部２には可燃性内材４が敷いてあって衝撃が緩和されるから破損しない。
【００２０】
なお、セラミック製加熱容器１に被加熱物Ｗを収める手順は上記の他、次のようにすることもできる。すなわち、セラミック製加熱容器１にセットする前の可燃性内材４に予め被加熱物Ｗを手作業又は機械により載置し、被加熱物Ｗを収めた可燃性内材４をセラミック製加熱容器１の載置部２上に載置するのである。この場合、図４〜図７に示した箱形の可燃性内材４を使用して把持手段４ｆを手で持つか又は把持手段４ｆに機械のアームを引っ掛けるようにすれば作業性がよい。言うまでもなく可燃性内材４は、形状が一定で機械のアームで一定のポイントを掴むことが容易であるから、可燃性内材４を載置部２上に静かに載置する制御が極めて簡単（安価）に実現できる。
【００２１】
次に上記の手順で被加熱物Ｗを収めたセラミック製加熱容器１を台車（図示せず）に積んで炉内に移送する。なお、セラミック製加熱容器１を多段に積み重ねたり或いは蓋（図示せず）を被せる場合には、図示したようにセラミック製加熱容器１の周側板３ａ〜３ｄの上縁に凹欠部を形成する等適宜な通気手段３ｅを設けるとよい。また、予め台車に空のセラミック製加熱容器１を積んで、そのセラミック製加熱容器１に上記の手順で被加熱物Ｗを収めるようにしてもよい。
【００２２】
次に被加熱物Ｗが溶融せず且つ可燃性内材４と表面付着物が燃焼する温度に炉内を加熱する。そうすると可燃性内材４が燃焼し、また、被加熱物Ｗの表面付着物である油、塗料、グリス等が焼失する。なお、可燃性内材４の燃焼によって主として被加熱物Ｗの底面が加熱されるため、被加熱物Ｗの全体の加熱が効率よく行える。
【００２３】
次に炉から台車を出し、表面付着物の除去が完了した被加熱物Ｗをセラミック製加熱容器１から取り出す。可燃性内材４が木や紙の場合は、載置部２上に僅かに灰分が残ってそれが被加熱物Ｗに付着する可能性があるが、合成樹脂や固形燃料の場合はそのような残留物が残らない。従って灰分の残留・付着を好まない被加熱物Ｗの場合は、可燃性内材４の材質として合成樹脂などを選択すればよい。
【００２４】
【実証試験】
表面に塗料、グリス、油の付着した鋳物製品（廃品）を１ｋｇ〜２ｋｇ程度の大きさに切断し、これを被加熱物Ｗとした。一方、図６のような箱形であって縦×横×高さ約３８ｃｍ×３８ｃｍ×１４ｃｍ、肉厚約５ｍｍのポリプロピレン製可燃性内材４を製造した。そして、この可燃性内材４に前記被加熱物Ｗを約５０ｃｍの高さから落下させる、という苛酷な条件を設定して載置したが、可燃性内材４が破損することはなかった。
【００２５】
次に被加熱物Ｗを収めた可燃性内材４を、縦×横×深さ約４０ｃｍ×４０ｃｍ×１５ｃｍでムライト質のセラミック製加熱容器１に手作業で入れた。この作業は、わざと手荒に行って様子を見たが、セラミック製加熱容器１が受けた衝撃は軽微であり、同容器１が破損することはなかった。
【００２６】
そして、セラミック製加熱容器１を台車に積んで炉（シャトルキルン）に入れ、約１１００℃の温度に約２時間で昇温させ、６０分キープ後、冷却して炉外に取出した。その結果、可燃性内材４は完全に焼失し、被加熱物Ｗの表面付着物も完全に除去できた。また、セラミック製加熱容器１の異常も認められなかった。
【００２７】
【発明の効果】
本発明のセラミック製加熱容器は、載置部と被加熱物の間に可燃性内材を介在させるようにしたため、金属製品のような比重の大きい被加熱物を加熱する用途に使用しても、被加熱物を供給する際の衝撃が直に載置部に作用しないから破損のおそれがない。のみならず前記可燃性内材は、被加熱物を加熱する過程で、しかも被加熱物の下に敷かれた状態で燃焼するため、従来なら加熱し難い被加熱物の底面が迅速に加熱できる。
【００２８】
また、請求項２に記載したように前記可燃性内材の周囲に立壁を立設するようにすれば、その立壁を掴んで移送することができるから取り扱いが容易になり、また、立壁が燃焼することで被加熱物の周囲も迅速に加熱することができる。
【００２９】
また、請求項１又は２に記載の可燃性内材を使用すれば、請求項３又は４のように、既存のセラミック製加熱容器と炉を使って、しかもセラミック製加熱容器を傷めることなく、比重の大きい被加熱物の表面付着物を簡単に除去することが可能である。
【００３０】
なお、本発明において可燃性内材の材料として古紙や廃プラスチックなどの再生品を使用すれば、資源の有効利用を図ると共に廃棄物の処分場不足問題の改善に貢献することができる。
【図面の簡単な説明】
【図１】セラミック製加熱容器の分解斜視図である。
【図２】セラミック製加熱容器の分解斜視図である。
【図３】セラミック製加熱容器の分解斜視図である。
【図４】セラミック製加熱容器の分解斜視図である。
【図５】セラミック製加熱容器の縦断面図である。
【図６】セラミック製加熱容器の分解斜視図である。
【図７】セラミック製加熱容器の縦断面図である。
【符号の説明】
Ｗ  …被加熱物
１  …セラミック製加熱容器
２  …載置部
４  …可燃性内材
４ｅ…立壁
【図１】
2004239553.tif 000003
【図２】
2004239553.tif 000004
【図３】
2004239553.tif 000005
【図４】
2004239553.tif 000006
【図５】
2004239553.tif 000007
【図６】
2004239553.tif 000008
【図７】
2004239553.tif 000009